(57)【要約】【課題】  テーブル本体上に搭載される荷重およびテーブル本体の振動数が変化しても、テーブル本体の振幅を一定にすることができる振動テーブル装置を提供する。【解決手段】水平方向に所要の間隔おきかつ上下方向へ指向して機台１上に装着された複数本の第１油圧シリンダ２と、複数本の第１油圧シリンダ２の上端間に架設されたテーブル本体３と、複数本の第１油圧シリンダ２のそれぞれの加圧油供給・排出口に配管４・５を介してその加圧油放出・回収口をそれぞれ連通接続して複数本の第１油圧シリンダ２を高速で伸縮作動させる加圧油を供給する第２油圧シリンダ６と、第２油圧シリンダ６のピストンロッドの先端に連結されて第２油圧シリンダ６を高速で往復動させる駆動モータ７と、を具備したことを特徴とする。【選択図】  図  １
2008142759.tif 000002
【特許請求の範囲】
【請求項１】
高速で伸縮作動する油圧シリンダによって上下振動するテーブル本体を備えた装置であって、
水平方向に所要の間隔をおきかつ上下方向へ指向して機台上に装着された複数本の第１油圧シリンダと、
これら複数本の第１油圧シリンダの上端間に架設されたテーブル本体と、
前記複数本の第１油圧シリンダのそれぞれの加圧油供給・排出口に配管を介してその加圧油放出・回収口をそれぞれ連通接続して前記複数本の第１油圧シリンダを高速で伸縮作動させる加圧油を供給する第２油圧シリンダと、
この第２油圧シリンダのピストンロッドの先端に連結されて第２油圧シリンダを高速で往復動させる駆動モータと、
を具備したことを特徴とする油圧式振動テーブル装置。
【請求項２】
前記テーブル本体と前記機台との間に弾性手段を介在させたことを特徴とする請求項１に記載の油圧式振動テーブル装置。
【発明の詳細な説明】
【技術分野】
【０００１】
本発明は、高速で伸縮作動する油圧シリンダによって上下振動するテーブル本体を備えた装置に関する。      
【背景技術】
【０００２】
従来、例えば、鋳枠に鋳物砂を充填する装置のひとつとして、鋳枠をテーブル盤上に固定することができるばね支持された鋳物砂充填用振動テーブルと、前記テーブル盤の下部に設けられ水平２軸上の夫々の回転不釣り合い重りが回転する不釣り合い重り式振動装置とを有する鋳物砂充填用振動装置において、前記振動装置に、前記水平２軸上の不釣り合い重りが異なる位相の所定の初期位相差を維持しつつ等速度で同一方向に回転するための同期回転手段を設けたものがある。
【特許文献１】特許第２８７２０９９号公報
【発明の開示】
【発明が解決しようとする課題】
【０００３】
しかし、このように構成された従来の鋳物砂充填用振動装置では、テーブル盤上に搭載される荷重および振動数が変化すると、テーブル盤の振幅も変化して一定にすることができないなどの問題があった。
【０００４】
本発明は上記の問題を解消するためになされたもので、その目的は、テーブル本体上に搭載される荷重およびテーブル本体の振動数が変化しても、テーブル本体の振幅を一定にすることができる振動テーブル装置を提供することにある。      
【課題を解決するための手段】
【０００５】
上記の問題を解消するために本発明の油圧式振動テーブル装置は、高速で伸縮作動する油圧シリンダによって上下振動するテーブル本体を備えた装置であって、水平方向に所要の間隔をおきかつ上下方向へ指向して機台上に装着された複数本の第１油圧シリンダと、これら複数本の第１油圧シリンダの上端間に架設されたテーブル本体と、前記複数本の第１油圧シリンダのそれぞれの加圧油供給・排出口に配管を介してその加圧油放出・回収口をそれぞれ連通接続して前記複数本の第１油圧シリンダを高速で伸縮作動させる加圧油を供給する第２油圧シリンダと、この第２油圧シリンダのピストンロッドの先端に連結されて第２油圧シリンダを高速で往復動させる駆動モータと、を具備したことを特徴とする。
【０００６】
このように構成されたものは、駆動モータの稼動により、第２油圧シリンダを高速で往復動させると、第２油圧シリンダの高速の往復動が加圧油を介在して複数本の第１油圧シリンダに伝動されて、複数本の第１油圧シリンダが高速で上下動し、これにより、テーブル本体が上下振動することとなる。
【０００７】
なお、本発明における駆動モータとしては、リニアモータや、クランク機構を出力軸に付設した電動機などがある。
またなお、本発明における弾性手段としては、板ばね、コイルばね、空気ばね等がある。
【発明の効果】
【０００８】
以上の説明から明らかなように本発明は、高速で伸縮作動する油圧シリンダによって上下振動するテーブル本体を備えた装置であって、水平方向に所要の間隔をおきかつ上下方向へ指向して機台上に装着された複数本の第１油圧シリンダと、これら複数本の第１油圧シリンダの上端間に架設されたテーブル本体と、前記複数本の第１油圧シリンダのそれぞれの加圧油供給・排出口に配管を介してその加圧油放出・回収口をそれぞれ連通接続して前記複数本の第１油圧シリンダを高速で伸縮作動させる加圧油を供給する第２油圧シリンダと、この第２油圧シリンダのピストンロッドの先端に連結されて第２油圧シリンダを高速で往復動させる駆動モータと、を具備したから、第２油圧シリンダの高速の往復動が加圧油および複数本の第１油圧シリンダを介してテーブル本体に伝動されるため、テーブル本体上に搭載される荷重およびテーブル本体の振動数が変化しても、テーブル本体の振幅を確実に一定にすることができるなどの優れた実用的効果を奏する。
【発明を実施するための最良の形態】
【０００９】
以下、本発明を適用した油圧式振動テーブル装置の一実施例について図１に基づき詳細に説明する。本油圧式振動テーブル装置は、水平方向に所要の間隔をおきかつ上下方向へ指向して機台１上に装着された複数本の第１油圧シリンダ２・２と、これら複数本の第１油圧シリンダ２・２の上端間に架設されたテーブル本体３と、前記複数本の第１油圧シリンダ２・２のそれぞれの加圧油供給・排出口に配管４・５を介してその加圧油放出・回収口をそれぞれ連通接続して前記複数本の第１油圧シリンダ２・２を高速で伸縮作動させる加圧油を供給する第２油圧シリンダ６と、この第２油圧シリンダ６のピストンロッドの先端に連結されて第２油圧シリンダ６を高速で往復動させる駆動モータとしてのリニアモータ７と、で構成してある。そして、前記テーブル本体３と前記機台１との間には弾性手段としての複数本のコイルばね８・８が水平方向に所要の間隔をおいて介在してある。
【００１０】
このように構成したものは、リニアモータ７の稼動により、第２油圧シリンダ６を高速で往復動させと、第２油圧シリンダ６の高速の往復動が加圧油を介して複数本の第１油圧シリンダ２・２に伝達されて複数本の第１油圧シリンダ２・２が高速で上下動し、これにより、テーブル本体３が上下振動することとなる。
なお、テーブル本体３と機台１との間に複数本のコイルばね８・８を介在されることにより、テーブル本体３の上昇を助勢することができるため、リニアモータ７の出力を小さいものにすることが可能になる。
【図面の簡単な説明】
【００１１】
【図１】本発明を適用した油圧式振動テーブル装置の一実施例の模式図である。
【符号の説明】
【００１２】
１    機台
２    第１油圧シリンダ
３    テーブル本体
４；５  配管
６    第２油圧シリンダ
７    リニアモータ
８    コイルばね
【図１】
2008142759.tif 000003